(57)【要約】【課題】太陽電池パネルの温度上昇が抑制される吸音パネルを提供する。【解決手段】背面側に太陽電池パネル３を設け、この太陽電池パネル３の側方に背面部３５を設けるとともに、この背面部３５の表面に遮熱層を形成させる。太陽電池パネル３の側方に背面部３５を設けるので、吸音パネル１の背面側全面に太陽電池パネル３が設けられず、その太陽光の受光による温度上昇が抑制される。また、前記背面部３５の表面に遮熱層が形成されるので、背面部３５の領域における太陽光の受光による温度上昇が効果的に抑制され、吸音パネル１の温度が低減されて、太陽電池パネル３の発電効率が良好なものとなされる。【選択図】        図１
2011184908.tif 000002
【特許請求の範囲】
【請求項１】
前面側に多数の開孔を有する前面板を有し、内部に形成された中空内に吸音材が内装された吸音パネルであって、
背面側には太陽電池パネルが設けられ、
該太陽電池パネルは前記吸音パネルの長手方向中央寄りに配置されて設けられ、
該太陽電池パネルの側方には背面部が設けられるとともに、
前記背面部の表面に遮熱層が形成されていることを特徴とする吸音パネル。
【請求項２】
立設された２本の支柱間に、前記請求項１に記載の吸音パネルが架設され、前記吸音パネルはその両側に支柱係合部がそれぞれ形成され、該各支柱係合部が前記各支柱にそれぞれ係合されて、前記吸音パネルが前記支柱間に架設され、
前記吸音パネルの背面部の側端にはカバー部が設けられ、該カバー部が前記支柱の背面側を覆うように形成されるとともに、該カバー部の表面に遮熱層が形成されていることを特徴とする吸音壁。
【請求項３】
前記吸音パネルと前記支柱の背面との間に隙間部が形成されるように前記カバー部が形成されていることを特徴とする請求項２に記載に吸音壁。
【発明の詳細な説明】
【技術分野】
【０００１】
本発明は、主として、車両等の走行に伴う騒音を吸音するために、高速道路や鉄道の沿線等に沿って設置される防音壁として、また橋梁や高架道路橋、堀割、半地下道路等の構造体の桁下、下面部や壁面、天井面等に壁体として取付けられ吸音パネルと、これを設置して形成させる吸音壁に関するものである。
【背景技術】
【０００２】
車両などの走行に伴う騒音を遮音、吸音するために用いられる吸音パネルとして、多数の開孔を有する前面板と背面板とにより形成された中空内に吸音材が内装されたものがある。
【０００３】
近年、環境問題への対応のために、太陽光による発電機能をこのような道路付帯設備に備える取り組みが進められている。例えば特許文献１には、矩形枠状のフレームと、前記フレームの一方の面に取着され多数のスリットあるいは孔が形成された金属板と、前記金属板の背面に配置された吸音材と、前記フレームの他方の面に受光面を外側に向けて取着された矩形で薄板状の太陽電池パネルと、を備えることを特徴とする太陽電池パネル一体型遮音パネルが開示されている。
【先行技術文献】
【特許文献】
【０００４】
【特許文献１】特開平８−１９９５１２号公報
【発明の概要】
【発明が解決しようとする課題】
【０００５】
しかしながら、特許文献１の如き太陽電池パネル一体型遮音パネルは、太陽光の受光によって温度が上昇し、この熱によって備えた太陽電池パネルの発電効率が低下するという問題点があった。
【０００６】
そこで本発明は、太陽電池パネルの温度上昇が抑制される吸音パネルと、これを設置して形成させる吸音壁を提供するものである。
【課題を解決するための手段】
【０００７】
上記目的を達成するため、本発明は以下のような構成としている。
すなわち本発明に係る吸音パネルは、前面側に多数の開孔を有する前面板を有し、内部に形成された中空内に吸音材が内装された吸音パネルであって、
背面側には太陽電池パネルが設けられ、
該太陽電池パネルは前記吸音パネルの長手方向中央寄りに配置されて設けられ、
該太陽電池パネルの側方には背面部が設けられるとともに、
前記背面部の表面に遮熱層が形成されていることを特徴としている。
【０００８】
本発明に係る吸音パネルによれば、背面側に設けた太陽電池パネルを前記吸音パネルの長手方向中央寄りに配置させ、この太陽電池パネルの側方に背面部を設けるので、吸音パネルの背面側全面に太陽電池パネルが設けられず、その太陽光の受光による温度上昇が抑制される。
また、前記背面部の表面に遮熱層が形成されるので、背面部の領域における太陽光の受光による温度上昇が効果的に抑制され、吸音パネルの温度が低減されて、太陽電池パネルの発電効率が良好なものとなされる。
【０００９】
また、本発明に係る吸音壁は、立設された２本の支柱間に、前記請求項１に記載の吸音パネルが架設され、前記吸音パネルはその両側に支柱係合部がそれぞれ形成され、該各支柱係合部が前記各支柱にそれぞれ係合されて、前記吸音パネルが前記支柱間に架設され、
前記吸音パネルの背面部の側端にはカバー部が設けられ、該カバー部が前記支柱の背面側を覆うように形成されるとともに、該カバー部の表面に遮熱層が形成されていることを特徴としている。
【００１０】
前記吸音パネルの両側に支柱係合部をそれぞれ形成させ、この各支柱係合部を立設された２本の支柱にそれぞれ係合させて、前記吸音パネルを前記支柱間に架設させて吸音壁を形成させると共に、前記吸音パネルの背面部の側端にカバー部を設け、このカバー部を前記支柱の背面側を覆うように形成させれば、前記支柱の背面がカバー部の影となって、太陽光の受光による温度上昇が抑制されるので、支柱への蓄熱が抑制され、その熱が太陽電池パネルに伝わることによる発電効率の低減が生じないので好ましい。
また、このカバー部の表面に遮熱層を形成させれば、この遮熱層の遮熱効果によって支柱への蓄熱が効果的に抑制されるので、好ましい。
【００１１】
また、前記吸音パネルと前記支柱の背面との間に隙間部が形成されるように前記カバー部を形成すれば、カバー部と前記支柱とが直接的に接触しないので、カバー部の熱が前記支柱に伝わることによる支柱への蓄熱が抑制され、その熱が太陽電池パネルに伝わることによる発電効率の低減が生じないので好ましい。
【発明の効果】
【００１２】
本発明の吸音パネルによれば、備えた太陽電池パネルの温度上昇が抑制される。
【図面の簡単な説明】
【００１３】
【図１】本発明に係る吸音パネルの実施の一形態を示す（イ）は平面図であり、（ロ）は正面図であり、（ハ）は側面図であり、（ニ）は背面図である。
【図２】図１のＡ−Ａ断面の概要を示す図である。
【図３】図１のＢ−Ｂ断面の概要を示す図である。
【図４】図１のＣ−Ｃ断面の概要を示す図である。
【図５】図１の吸音パネルを支柱間に設置させた状態を示す平面図である。
【発明を実施するための形態】
【００１４】
本発明の実施の形態を図面に基づき具体的に説明する。
図面において、１は吸音パネルであって、前面板２、太陽電池パネル３、横背面部３５、上枠材４、下枠材５、側面板６をそれぞれ固定させた略直方体状に形成されている。吸音パネル１は、アルミニウム板からなる多数の開孔２１を有する前面板２と、その背後の太陽電池パネル３とによって形成された中空内に、グラスウールなどに吸音材７が内装され、前面板２の開孔２１より中空内に入射された騒音は吸音材７によって吸音される。
【００１５】
前面板２は、吸音パネル１の上下の端から中央に至るほど吸音パネル１の内側へ向かうように若干傾斜して設けられており、前面板２の上下方向中央で折り曲げられて形成されたり、上下二枚の前面板２により形成するなどして設けられている。
【００１６】
前面板２には、吸音パネル１の長手方向に向かう細長いスリット形状の開孔２１が上下方向に２３個並設させて開孔列２２を形成されている。本実施形態の開孔列２２は、前記の前面板２の中央の折れ曲がり部分を挟んで上下方向に２個並べて形成されており、これを前面板２の長手方向に８列並設させて形成させている。
【００１７】
前記開孔２１は細長いスリット形状に形成してもよく、パンチング孔を穿設させて形成してもよく、その他の形状に形成してもよいが、本実施形態は前面板２の長手方向に細長い切れ込みを形成し、後述する図２に示すようにその上部を外側にひさし状に張り出すように折り曲げてスリット形状に形成させている。このように形成させることで、開孔２１を容易に形成できるとともに、外側に張り出した開孔２１の上部分が屋根のように機能し、開孔２１を通じて雨水等が吸音パネル１内へ入り込みにくいものとしている。
【００１８】
図１（ニ）に示すように、吸音パネル１の背面には、太陽電池パネル３が設けられている。本実施形態の太陽電池パネル３は、太陽電池セルを複数並設させた板状の太陽電池パネルの四辺を、アルミニウム押出形材からなる背面枠体３１で囲って形成されており、太陽電池パネル３は吸音パネル１の長手方向中央寄りに１枚取り付けられている。
また、前記太陽電池パネル３の横側には横背面部３５を、下側には下背面部３６をそれぞれ取りつけて吸音パネル１の背面側の隙間を塞いでいる。前記横背面部３５と下背面部３６とは、亜鉛めっき鋼板を曲げ加工して形成させている。
【００１９】
図２は図１の太陽電池パネル３を備えた箇所のＡ−Ａ断面の概要を示す図であり、図３は図１の太陽電池パネル３を備えていない箇所のＢ−Ｂ断面の概要を示す図である。図２は各部材の形状や配置を分かりやすく示すために簡略に描いている。
吸音パネル１の上面、下面、左右側面を構成する、上枠材４、下枠材５、側面板６は、それぞれ亜鉛めっき鋼板を曲げ加工して形成させており、溶接やリベットなどを用いて互いに固定されている。
この前面側と背面側にそれぞれ前面板２と太陽電池パネル３とを固定させ、吸音パネル１を中空の略直方体形状に形成させている。
【００２０】
吸音パネル１の中空内には吸音材７を内装させており、本実施形態の吸音材７は、図２に示すようにその厚みを吸音パネル１の厚みの半分以下に形成させている。
吸音材７は上枠材４と下枠材５との間に架け渡して設けられた帯状の支持金具１５に支持されて、吸音パネル１の中空内の前面板２側寄りに取り付けられている。このように取り付けられることで、吸音材７と太陽電池パネル３との間には空隙部１１が形成される。
また、本実施形態の吸音材７は、その上下方向の大きさが吸音パネル１の中空部分と略同じに形成されている。
尚、本実施形態の吸音材７は板状に形成させたグラスウールの表面をガラス繊維製のシートで被覆して形成させているが、これに限るものではなく、グラスウールを樹脂フィルムなど他の部材で被覆してもよく、グラスウール以外の材質のものを用いても良い。
【００２１】
図４は図１のＣ−Ｃ断面の概要を示す図である。図４は各部材の形状や配置を分かりやすく示すために簡略に描いている。
本実施形態の吸音材７の横方向の両端は、吸音パネル１内の中空の大きさより若干小さく形成されており、具体的には前面板１に設けられた最も端の開孔列２２の端より内側に位置するように形成され、開孔列２２の開孔２１の少なくとも一部と前記空隙部１１との間に空気が流通可能な隙間が前記吸音材７の側方に形成されるように設けられている。
【００２２】
図２〜４に示されるように、吸音パネル１の背面側に設けられた横背面部３５と下背面部３６の表面には、遮熱層３７が設けられている。本実施形態の遮熱層３７は断熱性が高い性質に形成されており、太陽光を受光することで生じた熱を横背面部３５や下背面部３６の内側方向や横方向へ伝達させずに外方へ反射、放出させることで、横背面部３５や下背面部３６やその周囲に設けられた太陽電池パネル３などの吸音パネル１の部材の温度上昇を抑制させるようになされている。
遮熱層３７の断熱性を高く形成する方法としては、遮熱層３７の内部に、ガラスやセラミックなどの中空粒子を含有させる方法や、遮熱層３７そのものを発泡材料で形成させる、等の方法を用いることができ、その他の方法を用いても良い。
また、本実施形態の遮熱層３７は断熱性の高い性質に形成されているが、遮熱層３７の遮熱性を高める方法はこれに限るものではなく、日射反射率の高いチタンホワイト、酸化亜鉛系顔料、酸化鉄系顔料、酸化鉄系顔料、水酸化鉄系顔料、アゾ系顔料、フタロシアニンブルー、フタロシアニングリーン系顔料などの顔料を遮熱層３７に含有させて、太陽光を反射させることで温度上昇を抑制するように形成させても良いし、遮熱層３７の断熱性と光の反射性の両方を同時に高めてもよい。
【００２３】
また、本実施形態の遮熱層３７は、亜鉛めっき鋼板で形成された横背面部３５と下背面部３６の表面に、遮熱塗料を塗装することで形成させているが、これに限るものではなく、遮熱性の高いシートを貼着させて形成させても良いし、遮熱性の高いパネル等の部材を取り付けてもよいし、その他の方法を用いても良い。
【００２４】
本実施形態の吸音パネル１の横方向の両端には、中央方向に窪む凹溝１９が形成されており、具体的には、凹溝１９は吸音パネル１の上下方向に沿って上枠材４の上面から下枠材５の下面に至るように、吸音パネル１の中央方向へ窪むように形成されており、前記凹溝１９の前面側に支柱係合部１７が形成されるように設けられている。また、前記凹溝１９の背面側には、カバー部１８が形成されるように設けられており、本実施形態のカバー部１８は前記横背面部３５の側端に設けられており、具体的には前記カバー部１８の外側面を前記横背面部３５の側端部分で構成させ、前記カバー部１８の内側面部分を側面板６で構成させている。
【００２５】
図５は図１の吸音パネル１を支柱８間に設置させた状態を示す平面図である。
本実施形態の吸音パネル１は、並設された２本の支柱８の間に取り付けられて、吸音壁を形成するようになされている。また、吸音パネル１を上下方向に複数段積みさせて吸音壁を形成させてもよい。
支柱２は、その両側の側方に上下方向へ向かう支柱溝部８１を備えるように設けられており、具体的には各支柱８は２本のフランジ８５とそれらの間に１本のウェブを備えた断面Ｈ型となされ、２本のフランジ８５が前面側と背面側にそれぞれ配置され、前記各フランジ８５とこれらの間に形成されたウェブ８６とが前記の各支柱溝部８１を形成するようにそれぞれ配置されて立設されている。
また、各支柱８１は、各々のウェブ８６の間の間隔が、前記吸音パネル１の横方向の大きさより若干大きく形成されるように、配置されて立設されている。
【００２６】
吸音パネル１は、その両端に形成された各支柱係合部１７を、前記各支柱８の各支柱溝部８１内に収納させて、各支柱８間に支持、固定されている。
また、各支柱係合部１７の内側面と、支柱８の背面側に配置されたフランジ８５の内側面との間には、バネＳが取り付けられ、吸音パネル１を支柱８の前面側に配置されたフランジ８５の内側面に押し付けるように付勢されて設けられている。
吸音パネル１は、その両端の各支柱係合部１７を支柱溝部８１に収納させて係合され、支柱８の前方や後方に転落することなく支持固定されるとともに、バネＳの付勢によって風や車の通行による振動などを受けても、支柱８と摩擦などを起こさず、その劣化が抑制される。
【００２７】
吸音パネル１を固定させた支柱８は、その背面側のフランジ８５が、固定させた吸音パネル１の凹溝１８に挿入されるようになされ、このフランジ８５の更に背面側が吸音パネル１のカバー部１８に覆われるようになされる。このため、支柱８の背面はカバー部１８の影となって直射日光が照射されないようになされ、日光を受けることでその温度が上昇して支柱８に蓄熱され、吸音パネル１の太陽電池パネル３にその熱が伝わり発電効率を低減させるような問題が生じない。
また、本実施形態のカバー部１８は、横背面部３５の側端部分で構成されているので、この背面横カバー３５に設けられた遮熱層３７によって太陽光による昇温が効果的に抑制される。
尚、図５は２本の支柱８の間に吸音パネル１を２本の支柱間に固定させた状態を示しているが、吸音パネル１が取り付けられていない側の側方にも更に支柱８を並設させて、他の吸音パネル１をこれら各支柱８の支柱溝部８１に固定させれば、吸音パネル１を２条の支柱溝部８１にそれぞれ固定させた支柱８の背面の略全面がカバー部１８に覆われて、直射日光の受光を避けることができる。
また、本実施形態のカバー部１８の外側面は、横背面部３５の側端部分で構成されているが、このような構成に限るものではなく、カバー部１８の外側面を横背面部３５と別部材で形成させてもよく、また、カバー部１８の外側面の表面に設ける遮熱層を、横背面部３５に設けた遮熱層３７と材質や、部材や、形成方法をそれぞれ異ならせてもよい。
【００２８】
また、本実施形態の吸音パネル１は、カバー部１８の内側面を構成する凹溝１８の内側面と、支柱８の背面との間に隙間部Ｃが設けられるように、形成されている。
隙間部Ｃの形成によって、カバー部１８と前記支柱８とが直接的に接触しないので、カバー部の熱が前記支柱８に伝わることによる支柱８への蓄熱が抑制され、その熱が太陽電池パネル３に伝わることによる発電効率の低減が生じないので好ましい。  
【符号の説明】
【００２９】
１    吸音パネル
１１  空隙部
１２  通気部
１５  支持金具
１６  補強材
１７  支柱係合部
１８  カバー部
１９  凹溝
２    前面板
２１  開孔
２２  開孔列
３    太陽電池パネル
３１  背面枠体
３５  横背面部
３６  下背面部
３７  遮熱層
４    上枠材
５    下枠材
６    側面板
７    吸音材
８    支柱
８１  支柱溝部
Ｓ    バネ
Ｃ    隙間部
【図１】
2011184908.tif 000003
【図２】
2011184908.tif 000004
【図３】
2011184908.tif 000005
【図４】
2011184908.tif 000006
【図５】
2011184908.tif 000007